(57)【要約】  ポリマー材料を含むハウジング１０１、３０１を含む照明デバイス１００、３００であって、ハウジングは、細長い中空のネック部１０２と、ネック部の端に配置されるカラー部１０４とを含む。カラー部は、ネック部の端を周辺的に取り囲む実質的に環状の表面１１４、４１４を含む。カラー部は、金属化された表面を有する。当該表面は、複数の導電性パッド４１８、３１８、４１８に構造化され、これらのパッドは、互いから電気的に絶縁される。複数の発光要素１２０、３２０、４２０がハウジングのカラー部上に配置される。各発光要素は、第１の導電性パッド１１８ａ、４１８ａに電気的に接続される第１の端子１２８と、第２の導電性パッド１１８ｂ、４１８ｂに電気的に接続される第２の端子１２４とを有する。カラー部は、周囲環境に直接的に接触し、発光要素からの熱の伝達が向上される。照明デバイスは更に、カラー部を覆うように配置され、発光要素からの光を屈折させる環状レンズ１０８を含む。
2017513185.tif 000002
【特許請求の範囲】
【請求項１】
細長い中空のネック部と、前記ネック部の端に配置されるカラー部とを有するハウジングと、
複数の発光要素と、
環状レンズと、
を含み、
前記カラー部は、
前記ネック部の前記端を周辺的に取り囲み、金属化され、互いから電気的に絶縁される複数の導電性パッドに構造化される表面と、
前記表面の反対側に配置され、周囲環境と直接的に接触する第２の表面と、
を含み、
前記複数の発光要素は、前記カラー部によってのみ、前記周囲環境から分離されるように前記表面上に配置され、これにより、前記複数の発光要素によって発生される熱が、前記第２の表面から前記周囲環境へと伝達され、
前記環状レンズは、前記カラー部を覆うように配置され、適切な配光を提供するように、前記複数の発光要素から放出される光を屈折させるように構成され、
前記複数の発光要素のそれぞれは、第１の導電性パッドに電気的に接続される第１の端子と、第２の導電性パッドに電気的に接続される第２の端子とを有する、照明デバイス。
【請求項２】
前記複数の導電性パッドに構造化される金属化された前記表面は、前記表面の少なくとも７５％を覆う、請求項１に記載の照明デバイス。
【請求項３】
前記ハウジングの前記中空のネック部は、ドライバ電子機器を保持する、請求項１又は２に記載の照明デバイス。
【請求項４】
前記ドライバ電子機器は、前記複数の発光要素の直列接続を提供するように、前記複数の導電性パッドのうちの２つに電気的に接続される、請求項３に記載の照明デバイス。
【請求項５】
前記ドライバ電子機器は、前記複数の発光要素の並列接続を提供するように、前記複数の導電性パッドそれぞれに電気的に接続される、請求項３に記載の照明デバイス。
【請求項６】
前記カラー部は、前記ネック部を取り囲む環状表面である、請求項１乃至５の何れか一項に記載の照明デバイス。
【請求項７】
前記カラー部の前記表面は、細長い前記ネック部に沿った方向に直交する、請求項１乃至６の何れか一項に記載の照明デバイス。
【請求項８】
ネックカバーが、前記カラー部によって取り囲まれる前記ネック部の開放端を覆うように配置される、請求項１乃至７の何れか一項に記載の照明デバイス。
【請求項９】
前記カラー部の前記ネック部に面していない前記表面と前記ネック部との間の第１の角度は、前記カラー部の前記ネック部に面している前記第２の表面と前記ネック部との間の第２の角度よりも大きい、請求項１乃至８の何れか一項に記載の照明デバイス。
【発明の詳細な説明】
【技術分野】
【０００１】
本発明は、概して、照明デバイス内の熱管理及び改良されたハウジングに関する。
【背景技術】
【０００２】
熱管理は、照明の分野において、特に発光ダイオード（ＬＥＤ）に基づいた照明といった半導体ベースの照明の分野において、重要な問題である。一般に、光源によって光が放出されると、熱が発生する。発熱は、通常、光源の性能及び平均寿命だけでなく、照明デバイスの電子機器の材料及び構成の選択にも影響を及ぼすため、望ましくない影響である。
【０００３】
発熱の影響を減少させるために、照明デバイスは、通常、光源及び他の熱を発するコンポーネントからの熱を、照明デバイスの主な（又は平均の）光伝搬方向とは反対の方向に放散するヒートシンクを含む。米国特許出願公開第２０１３／００８２６００号は、シリコーン製のランプハウジングを含むＬＥＤランプについて開示している。ランプハウジングは、熱エネルギーがＬＥＤからドライバハウジングに向かって放散されるように、ＬＥＤと直接的な熱伝導関係にある。ＬＥＤドライバ回路が、電気プラグとＬＥＤとの間に電気的に配置されている。
【０００４】
しかし、照明デバイスからの熱の放散を向上させる代替解決策を実現することが望ましい。
【発明の概要】
【発明が解決しようとする課題】
【０００５】
本発明は、上記問題を解決し、熱管理が向上された代替照明デバイスを提供及び可能とすることを目的とする。これらの検討事項のうちの１つ以上によりうまく対処するために、独立請求項に規定される特徴を有する照明デバイスが提供される。好適な実施形態は、従属請求項に規定される。
【課題を解決するための手段】
【０００６】
本発明の一態様によれば、上記及び他の目的は、細長い中空のネック部と、ネック部の端に配置されるカラー部とを有するハウジングを含む照明デバイスによって達成される。カラー部は、ネック部の端を周辺的に取り囲む表面を含む。カラー部は更に、金属化された表面を有する。当該表面は、複数の導電性パッドに構造化される。パッドは、互いから電気的に絶縁される。照明デバイスは、ハウジングのカラー部上に配置される複数の発光要素を有し、各発光要素は、第１の導電性パッドに電気的に接続される第１の端子と、第２の導電性パッドに電気的に接続される第２の端子とを有する。更に、ハウジングは、ポリマー材料を含み、カラー部の表面は、実質的に平坦である。
【０００７】
発明者は、中空のネック部の開放端をカラー部で取り囲み、発光要素をカラー部の表面上に提供することによって、照明デバイスが、カラー部を介して周囲環境に直接的に熱を放散することによって、熱を効果的に放散することができることを認識した。ハウジングの構造が、照明デバイスの熱伝達を向上させる。更に、カラー部の少なくとも片側が囲われてないため、空気が自由に循環し、照明デバイスから発生される熱を放散する。したがって、カラー部、即ち、金属化された表面を有するポリマー層のみが、発光要素を周囲環境から離す。熱は、一般光出力方向の反対方向において、カラー部を介して、周囲環境へと直接的に伝達する。
【０００８】
更に、複数の導電性パッドで、表面を金属化することによって、ハウジングは、ヒートシンクとしてだけでなく、ＰＣＢとしても機能する。照明デバイス内のコンポーネントを分離し、保護するという従来の機能以外に、追加の機能をハウジングに提供することによって、より適応性のある照明デバイスがもたらされる。
【０００９】
更に、ハウジングに統合された機能を有することによって、照明デバイスは、より費用効率が良くなる。カラー部の表面を、電気及び熱の両方を伝導可能である導電性パッドで金属化することによって、一般照明デバイスに必要となるコンポーネントの数が少なくて済む。更に、照明デバイスの構造によって、ポリマーといった材料でハウジングを提供することができる。
【００１０】
本発明の一実施形態によれば、複数の導電性パッドに構造化される金属化された表面は、当該表面の少なくとも７５％を覆う。
【００１１】
カラー部の中空のネック部に面していない表面のかなりの部分を導電性パッドで覆うことによって、熱伝達が向上される。導電性パッドは、優れた熱伝導体である。したがって、発光要素によって発生される熱は、パッドを介して、また、カラー部の残りの部分を介して、中空のネック部に面している表面に伝達される。次に、熱は、カラー部の中空のネック部に面している表面の付近の周囲空気へと放散する。しかし、発光要素からの熱伝達を更に増加させるために、カラー部のネック部に面していない表面の８５％又は９５％ほども覆う導電性パッドを有する幾つかの実施形態も想到可能である。
【００１２】
本発明の一実施形態によれば、ハウジングの中空のネック部は、ドライバ電子機器を保持する。
【００１３】
中空のネック部は、物理的環境からの保護を提供する。更に、ドライバ電子機器を中空のネック部内に配置することによって、ドライバ電子機器は、容易にアクセスできる。アクセスが容易であることは、ドライバ電子機器を中空のネック部内に設置するとき、また、ドライバ電子機器を導電性パッドに電気的に接続するときに有用である。
【００１４】
本発明の一実施形態によれば、ドライバ電子機器は、発光要素の直列接続を提供するように、導電性パッドのうちの２つに電気的に接続される。
【００１５】
照明デバイスを直列に接続することによって、パッドへの接続が少なくて済む。これにより、照明デバイスはより容易に設置される。更に、発光要素は、第１の導電性パッド及び第２の導電性パッドに接続されるように配置される。第１及び第２の導電性パッド間に電気的接続を形成する発光要素は、中間の導電性パッドの、電気回路線を介したドライバ電子機器への直接接触を有する上記２つの導電性パッドへの接続を提供する。更に、３つ以上の導電性パッドで直列接続される照明デバイスでは、発光デバイスは、ドライバ電子機器への電気回路線を有する上記２つの導電性パッド間に配置されなくてもよい。しかし、発光要素は、ドライバ電子機器に電気的に接触する上記２つの導電性パッドのうちの１つ及び隣接する導電性パッド、又は、２つの中間導電性パッドと物理的に接触する。しかし、照明デバイスが２つの導電性パッドしか有さない場合、照明デバイスは、ドライバ電子機器への電気回路線を有する２つの導電性パッドの両方に物理的に接触する。電気回路線は、パッドに電気が流れることを可能にする任意のタイプの電気的接続であってよい。
【００１６】
本発明の一実施形態によれば、ドライバ電子機器は、発光要素の並列接続を提供するように、導電性パッドそれぞれに電気的に接続される。
【００１７】
発光要素の並列接続を提供することによって、照明デバイスは、照明デバイスの構造欠陥にあまり影響を受けなくなる。
【００１８】
本発明の一実施形態によれば、カラー部は、ネック部を取り囲む環状表面である。
【００１９】
環状表面は、左右対称である。環状表面を有する照明デバイスは、多くの照明装置及び様々なランプホルダに適用可能である。
【００２０】
本発明の一実施形態によれば、照明デバイスは更に、発光要素に関してカラー部の表面の反対側に配置される環状レンズを含む。環状レンズは、発光要素から放出される光を屈折させる。
【００２１】
環状レンズは、適切な配光を提供する。レンズは、配光が広げられて、発光要素から放出されるビームの広がりを増加するように、発光要素によって放出される光を屈折させる。環状レンズは、照明デバイスからの半球状の配光又は一般光出力方向の方向における半球の少なくとも一部を覆う配光を容易にする。
【００２２】
本発明の一実施形態によれば、カラー部の表面は、細長いネック部に沿った方向に直交する。
【００２３】
カラー部の直交位置は、照明デバイスの配光を向上させる。
【００２４】
本発明の一実施形態によれば、カラー部によって取り囲まれるネック部の開放端を覆うように、ネックカバーが配置される。
【００２５】
ネックカバーは更に、中空のネック部と共に、ドライバ電子機器を分離する。ネックカバーは更に、レンズを照明デバイスに固定する。更に、ネックカバーは、レンズの一体化された部分であってもよい。
【００２６】
本発明の一実施形態によれば、カラー部のネック部に面していない表面とネック部との間の第１の角度は、カラー部のネック部に面している第２の表面とネック部との間の第２の角度よりも大きい。
【００２７】
第１の角度が第２の角度よりも大きいことによって、照明デバイスの熱管理が、照明デバイスの配光と合わせて向上される。第１の角度は、１８０°よりも大きい一方で、第２の角度は、１８０°よりも小さい。
【００２８】
なお、本発明は、請求項に記載される特徴のすべての可能な組み合わせに関する。
【図面の簡単な説明】
【００２９】
次に、本発明の上記及び他の態様が、本発明の実施形態を示す添付図面を参照して、より詳細に説明される。
【００３０】
【図１】図１は、一実施形態による照明デバイスの斜視図及び同じ照明デバイスの分解斜視図を示す。
【図２】図２は、図１における照明デバイスの一部の斜視図を示す。
【図３】図３は、一実施形態による照明デバイスの斜視図を示す。
【図４】図４は、一実施形態によるカラー部の平面図を示す。
【図５】図５は、一部が切り取られている図１による照明デバイスの斜視図を示す。
【００３１】
図面に示されている場合、層及び領域のサイズは、説明のために拡大されており、したがって、本発明の実施形態の一般構造を説明するために提供されている。同様の参照符号は、全体を通して同様の要素を指している。
【発明を実施するための形態】
【００３２】
本発明の現在好適である実施形態が示される添付図面を参照して、本発明を、以下により詳細に説明する。しかし、本発明は、多くの異なる形態で具体化されてもよく、本明細書に記載される実施形態に限定されると解釈されるべきではない。むしろ、これらの実施形態は、完全さ及び完璧さのために提供されたたものであり、当業者に、本発明の範囲を十分に伝えるものである。
【００３３】
図１を参照して、一実施形態による照明デバイスが説明される。図１は、斜視図において、本発明の一実施形態による照明デバイスを、組み立てられた図及び分解された図で示す。左側に見える照明デバイス１が、組み立てられた照明デバイスである。照明デバイス１の分解図が、右側に見える。
【００３４】
図１における照明デバイス１００は、中空のネック部１０２と、中空のネック部１０２の開放端を取り囲む環状のカラー部１０４とに分けられるハウジング１０１を含む。ハウジング１０１は、中空のネック部１０２と、カラー部１０４とを含み、ハウジングは、プラスチックといったポリマー材料で作られる。
【００３５】
ソケット１０６が、ネック部１０２の反対の端に取り付けられている。ここでは、ソケット１０６は、ねじ込み式の口金である。しかし、他のソケットも想到可能である。例えばソケット１０６は、差し込み式の結合器であってもプラグコネクタであってもよい。
【００３６】
更に、環状レンズ１０８が、カラー部１０４のネック部１０２に面していない片側において、カラー部１０４に接続されている。環状レンズ１０８は、環状のカラー部１０４を覆うようにドーナツ形状を有する。しかし、多角形、楕円形又は長円形といったカラー部の他の形状も想到可能である。したがって、環状レンズ１０８は、カラー部１０４に対応する形状を有することが好適である。環状レンズ１０８は、ネックカバー１１０を介して、カラー部１０４に取り付けられる。図１におけるネック部は、円形である。しかし、多角形、楕円形、長円形のいずれのタイプも想到可能である。
【００３７】
上記されたように組み立てられた照明デバイスは、右側に、分解図に示される。右側の図から分かるように、ネック部１０２は、ドライバ電子機器１１２を収容するために中空である。中空ネック部１０２は、ドライバ電子機器１１２を、物理的環境からの外的緊張から保護し、少なくとも部分的に分離する。中空のネック部１０２の端に、対応する受け入れソケットに回し入れられる、ねじ込み式の口金１０６がある。
【００３８】
カラー部１０４は、中空のネック部１０２の反対の端を取り囲む。図１において、カラー部１０４は、環状で、実質的に平らな表面１１４である。カラー部１０４の表面１１４は、細長い中空のネック部１０２に沿った方向１１６に対して直交する。しかし、他の実施形態では、カラー部１０４は、細長いネック部１０２に沿った方向１１６に比べて９０°より小さい又は大きい角度に配置されてもよい。カラー部１０４は更に、細長いネック部１０２に沿った方向１１６において表面１１４を保護する突出する縁１１７が配置されていてもよい。複数の発光要素１２０が、カラー部１０４の実質的に平らな表面１１４上に配置される。カラー部１０４は、発光要素から発生した熱が、ハウジングの残りの部分を介して伝達される必要なく、カラー部１０４を介して周囲に直接的に放散するように、ネック部１０２から突出する。したがって、カラー部１０４は、効率的に熱を伝達するために、ネック部から離れるように突出する。
【００３９】
カラー部１０４の表面１１４は、金属化され、複数の導電性パッド１１８に構造化される。パッド１１８の金属化処理は、金属材料の堆積を介して達成される。金属は、電気めっきといった電気分解を介して堆積される。例えば電気めっきパッドが薄い銅セグメントを提供する。しかし、ＬＤＳ、ＵＶ固形化処理、導電性インクの印刷、無電解めっき、又は、めっき、化学溶液堆積（ＣＳＤ）、スピンコーティング、化学的気相堆積（ＣＶＤ）若しくは原子層堆積（ＡＬＤ）といった化学蒸着といったカラー部の表面に導電性パッド１１８を提供する他の金属化処理も想到可能である。或いは、金属化処理は、物理的気相堆積（ＰＶＤ）、スパッタリング、パルスレーザ堆積、陰極アーク堆積又は電気流体力学的堆積を含む物理的堆積を介して提供されてもよい。金属化処理を介して堆積される金属は、銅であることが好適である。銅は、電気及び熱を共にうまく伝導する。しかし、他の金属も想到可能である。
【００４０】
導電性パッド１１８は、互いに連続的に配置される。パッド１１８は、照明デバイス１００の短絡を回避するために、パッド１１８が電気的に絶縁された状態に保つように互いから離されている。パッド１１８は、カラー部１０４の表面１１４上に、様々なパターンで分布する。パッド１１８は、カラー部１０４の周りの一列として配置されてもよい。しかし、パッド１１８は、カラー部１０４の周りに、複数の列で分布してもよい。パッドは、ＰＣＢの回路経路と同様に、複数の発光要素１２０に接続される電極として使用される。パッド１１８は、カラー部のネック部に面していない環状表面の周りに分布するセグメントであってもよい。パッドは、円形、多角形、楕円形、長円形、不整形といった任意の形状を有してよい。パッドは更に、環状の同心パッドといった同心パッドとして配置されてもよい。
【００４１】
複数のパッドのうちの２つは、回路線を介して、ドライバ電子機器１１２に直接的に接続される。発光要素は、中間パッド間と、中間パッド１１８と、回路線１２１でドライバ電子機器に接続されるパッドとの間に接続される。しかし、照明デバイスが２つのパッドしか有さない場合、発光要素は、ドライバ電子機器１１２に接続される両パッド間に接続される。回路線１２１は、発光要素が発光できるようにパッドに電気を運ぶ。
【００４２】
複数の発光要素１２０は、カラー部１０４の細長い中空のネック部１０２に面していない表面１１４上に配置される。各発光要素１２０は、２つのパッド１１８に接続される。パッド１１８は、発光要素１２０を介して、電気的に接続される。発光要素１２０は、第１の端子を第１のパッドに接続し、第２の端子を第２のパッドに接続する。
【００４３】
発光要素１２０は、細長い中空のネック部１０２に沿って、カラー部１０４に向かう方向１１６に一致する一般光出力方向に光を放出する。発光要素１２０は、ＬＥＤといった光源である。
【００４４】
発光要素１２０は、発光要素１２０から光が放出されるときに、副生成物として、熱を発生させる。発光要素１２０は、パッド１１８に接続され、熱は、一般光出力方向とは反対の方向に、カラー部１０４を介して放散される。熱は、まず、ハウジング１０１のカラー部１０４のパッド１１８を介して放散され、次に、カラー部１０４のポリマー層を介して周囲環境へと放散される。発光要素１０２を周囲環境から離すのは、カラー部１０４だけである。カラー部１０４の第２の表面１２２が、周囲空気へと熱を放散する。第２の表面１２２は、ネック部１０２に面する表面である。第２の表面１２２は、どのようにも包囲されていない。第２の表面１２２は、周囲環境と直接的に接触している。これにより、カラー部１０４を介する熱の放散が促進され、周囲環境からの空気が自由に循環して、第２の表面１２２から循環空気に、熱エネルギーが伝達される。
【００４５】
環状レンズ１０８は、カラー部１０４に、カラー部１０４のネック部１０２に面していない片側に接続される。環状レンズは、発光要素によって放出された光を屈折させて、周囲環境に出力される配光を広げる。ネックカバー１１０は、図１において配置されるように、環状レンズ１０８をカラー部１０４に取り付けるように配置される。更に、ネックカバー１１０は、ハウジングと共に、また、幾つかの場合では、環状レンズも共に、ドライバ電子機器を保護及び分離する。代替実施形態では、環状レンズ及びネックカバーは、カラー部１０４及び中空のネック部１０２の開放端をドームのように覆う凸面レンズに置き換えられてもよい。この代替実施形態では、ネックカバーは、不要であり、代わりに、レンズは、発光要素からの光を屈折させるレンズだけでなく、ネックカバーとしても作用する。この実施形態では、レンズの水平方向の横断面は、カラー部の表面及び中空のネック部の開放端に対応する。
【００４６】
照明デバイス１００のハウジング１０１は、本実施形態では、シルクハットのように成形され、カラー部１０４が、シルクハットの上部に対応するネック部に直交するつばに対応する。帽子のつばが上方向又は下方向に曲げられるように、カラー部１０４は、カラー部の第２の表面とネック部との間の角度が減少又は増加されるように傾斜されてもよい。カラー部の第２の表面とネック部との間の角度が減少されると、照明デバイスの配光は増加される。しかし、カラー部とネック部との間の角度が減少されて、照明デバイスは、より集束した配光を提供してもよい。より集束した配光を有する照明デバイスを提供するために、ネック部とカラー部の第２の表面１２２との角度は、９０°よりも大きい。カラー部とネック部との間の移行部は、必ずしも鋭角である必要はなく、照明デバイスは、移行部が湾曲しているように、ベル状のハウジングを有してもよい。
【００４７】
更に、照明デバイスのカラー部１０４は、カラー部１０４のネック部に面している第２の表面１２２とネック部１０２の外側表面との間の第２の角度よりも大きい、カラー部１０４のネック部に面していない平らな表面１１４とネック部１０２の内側表面との間の第１の角度を有する。したがって、第１の角度は、１８０°よりも大きい一方で、第２の角度は、１８０°よりも小さい。更に、第１の角度の増加は、第２の角度の対応する減少をもたらし、その逆も同様である。第１の角度は、（１８０＋ｘ）°であり、第２の角度は、（１８０−ｘ）°である。図１に示される例では、第１の角度は、２７０°であり、第２の角度は、９０°である。ネック部１０２の内側表面は、ドライバ電子機器１１２に面している。ネック部１０２の外側表面は、照明デバイス１００の周囲環境に面している。
【００４８】
図２を参照して、図１の照明デバイス１００の一部について説明する。照明デバイス１００の一部は、ランプソケット、環状レンズ又はネックカバーのない、図１の照明デバイス１００の組み立てられた斜視図を示す。照明デバイス１００は、細長い中空のネック部１０２とカラー部１０４とを有するハウジング１０１を有する。カラー部１０４は、ネック部１０２に面していない環状表面１１４の周りに分布する導電性パッド１１８を有する。
【００４９】
各発光要素１２０は、２つのパッド１１８に電気的に接続される。複数のパッド１１８のうちの互いに発光要素１２０に電気的に接続されていない２つは、それぞれ、回路線１２１によって、ドライバ電子機器１１２に接続される。発光要素は、直列に接続される。更に、カラー部１０４の切り出し部に、発光要素１０２のパッド１１８への接続が示される。パッド１１８は、発光要素１２０を介して、電気的に接続される。発光要素１２０は、第１の端子１２８を第１のパッド１１８ａに、第２の端子１２４を第２のパッド１１８ｂに接続する。
【００５０】
図３を参照して、一実施形態による照明デバイス３００について説明する。照明デバイス３００は、図２におけるような照明デバイスを示すが、ドライバ電子機器３１２への接続が異なる。各パッド３１８が、回路線３２１によって、ドライバ電子機器３１２に接続される。発光要素は、第１の端子を第１のパッド３１８ａに、第２の端子を第２のパッド３１８ｂに接続する。各パッド３１８にドライバ電子機器３１２への接続を提供することによって、発光要素３２０の並列接続が達成される。第１のパッド３１８ａは、当該第１のパッド３１８ａの両側に第２のパッド３１８ｂを有するように配置される。第１のパッド３１８ａに隣接する各パッドは、第２のパッド３１８ｂである。したがって、第２のパッド３１８ｂに隣接する各パッドは、第１のパッド３１８ａである。照明デバイス３００が使用不可となる、即ち、発光できなくなるリスクが減少される。発光要素のうちの１つが故障しても、他の発光要素３２０が独立して発光することができる。
【００５１】
図４を参照して、一実施形態によるカラー部の平面図について説明する。金属化された表面を有するカラー部は、カラー部のネック部に面していない表面上に配置される同中心を有する導電性パッド４１８ａ、４１８ｂを有する。第１及び第２の導電性パッド４１８ａ、４１８ｂは、異なる半径で、カラー部上に同中心を有して配置される。導電性パッドは、環状で、同中心を有してもよい。しかし、図４では、第１の導電性パッド４１８ａは、ネック部の開放された中空端の周りに同心状に配置される環状パッドである。更に、導電性パッドは、ドライバ電子機器への接続を容易にする突起を有する。図４では、第１のパッド４１８ａが、そのような突起を有する。当該突起は、第１の導電性パッド４１８ａからドライバ電子機器への電気回路線４２１を介する接続を容易にする。図４では、第２の導電性パッド４１８ｂは、非連続的な環状パッドである。第２のパッド４１８ｂは、第１のパッド４１８ａの突起部が、ネック部の開放端の方向に突出する突起を有する場所において、途切れる。第２のパッド４１８ｂは、ネック部の開放端のより近くに配置され、第１のパッド４１８ａは、第１のパッドの周りを取り囲む。更に、第１のパッド４１８ａは、第２のパッド４１８ｂの周りを同心状に配置される。しかし、この反対も想到可能である。発光要素４２０は、第１の端子が第１のパッド４１８ａに、第２の端子が第２のパッド４１８ｂに接続される。発光要素４２０は、第１のパッド４１８ａと第２のパッド４１８ｂとの間の間隙に重なる。発光要素４２０は、カラー部の実質的に平らな表面の周りに分布する。
【００５２】
図５を参照して、一部が切断されている図１の実施形態による照明デバイス１００の斜視図について説明する。図５の照明デバイス１００は、図１を参照して説明した照明デバイス１００に相当する。照明デバイス１００の切断された一部は、照明デバイスの中心から、半径方向に真っ直ぐ外側への交差点である。照明デバイスの中心は、図１における方向１１６に平行である対称軸として見なされる。照明デバイス１００の中心は更に、照明デバイス１００及び／又はカラー部１０４及びネック部１０２の質量中心と見なされてもよい。図５において、質量中心及び対称軸は一致する。
【００５３】
照明デバイス１００のハウジング１０１は、中空のネック部１０２とカラー部１０４とを含む。ネック部１０２とカラー部１０４とは、互いに統合される。カラー部１０４及びネック部１０２は、ポリマー材料の層を含む。ネック部１０２の内側壁に沿って、ドライバ電子機器１１２が配置される。しかし、他の実施形態では、ドライバ電子機器１１２は、ネック部１０２の中心に配置されてもよい。カラー部１０４は、パッド１１８からなる追加の薄層を有する。
【００５４】
発光要素１２０は、２つの隣接するパッド１１８の上に配置される。発光要素によって発生される熱は、カラー部を介して、発光要素１２０を有する表面１１４から反対側の表面１２２へと放散される。熱は、次に、周囲環境における循環空気に伝達される。更に、発光要素１２０から放散される熱によって空気が加熱されると、空気は、ネック部１０２に面していない表面１１４の反対側のカラー部１０４の表面１２２の下方において、自然と循環し始める。更に、発光要素１２０から放出される光は、環状レンズ１０８によって広げられる。レンズ１０８は、ネックカバー１１０によって、適切な位置に保持される。ネックカバー１１０は更に、中空のネック部１０２内のドライバ電子機器１１２を保護する。
【００５５】
当業者であれば、本発明は、上記された好適な実施形態に限定されないことは認識するであろう。それどころか、添付の請求項の範囲内で多くの修正態様及び変形態様が可能である。
【００５６】
さらに、開示された実施形態の変形態様は、図面、開示内容及び添付の請求項の検討から、請求項に係る発明を実施する当業者によって理解され、実施される。請求項において、「含む」との用語は、他の要素又はステップを排除するものではなく、また、「ａ」又は「ａｎ」との不定冠詞も、複数形を排除するものではない。特定の手段が相互に異なる従属請求項に記載されることだけで、これらの手段の組み合わせを有利に使用することができないことを示すものではない。
【図１】
2017513185.tif 000003
【図２】
2017513185.tif 000004
【図３】
2017513185.tif 000005
【図４】
2017513185.tif 000006
【図５】
2017513185.tif 000007
【国際調査報告】
2017513185.tif 000008
2017513185.tif 000009
2017513185.tif 000010